(57)【要約】【課題】  一つの保護キャップで複数種類のスプリンクラーヘッドに対応可能なスプリンクラーヘッド用保護キャップの提供。【解決手段】  有底円筒形状をしておりスプリンクラーヘッドＳ１に外装され、側面には天井下面に対する取付範囲が表示されているスプリンクラーヘッドの保護キャップ１０であり、側面には第１のスプリンクラーヘッドの取付範囲を示す上段１２および下段１３と、上段１２および下段１３の間に取付基準を示す穴１４が設置されており、該穴１４には第２のスプリンクラーヘッドの取付範囲が表示された表示部材２０を係合可能とした。【選択図】    図１
2020018659.tif 000002
【特許請求の範囲】
【請求項１】
有底円筒形状をしておりスプリンクラーヘッドに外装され、側面には天井下面に対する取付範囲が表示されているスプリンクラーヘッドの保護キャップであり、
側面には第１のスプリンクラーヘッドの取付範囲を示す上段および下段と、
上段および下段の間に取付基準を示す穴が設置されており、
該穴には第２のスプリンクラーヘッドの取付範囲が表示された表示部材が係合可能であることを特徴とするスプリンクラーヘッド用保護キャップ。
【請求項２】
表示部材は円筒形状であり、内周面に前記穴と係合可能な突起を有する請求項１記載のスプリンクラーヘッド用保護キャップ。
【請求項３】
表示部材は帯状であり、保護キャップの外周面に貼付される請求項１記載のスプリンクラーヘッド用保護キャップ。
【請求項４】
表示部材の上端は、保護キャップの取付範囲の上段に沿って設置される請求項１〜請求項３何れか１項記載のスプリンクラーヘッド用保護キャップ。
【請求項５】
表示部材の下端は、保護キャップの取付範囲の下段に沿って設置される請求項１〜請求項４何れか１項記載のスプリンクラーヘッド用保護キャップ。
【請求項６】
表示部材の内周面下方に設置された段部は、保護キャップの取付範囲の下限を示す段に当接する請求項１〜請求項５何れか１項記載のスプリンクラーヘッド用保護キャップ。
【請求項７】
保護キャップの色と表示部材の色は異なる請求項１〜請求項６何れか１項記載のスプリンクラーヘッド用保護キャップ。
【請求項８】
表示部材の取付基準として複数の穴が穿設されている請求項１〜請求項７何れか１項記載のスプリンクラーヘッド用保護キャップ。
【発明の詳細な説明】
【技術分野】
【０００１】
本発明は、消火用のスプリンクラーヘッドを外的衝撃から保護する保護キャップに関するものである。
【背景技術】
【０００２】
消火用スプリンクラーヘッドは、水が充填された消火設備配管と接続されており、火災の際に作動して水を散布し消火を行なうものである。スプリンクラーヘッドが衝撃を受けると、内部の止水部に支障をきたして漏れの発生や、最悪の場合火災時に作動しないケースが発生するおそれがある。
【０００３】
スプリンクラーヘッドを衝撃から保護するために、運搬時や、施工時にはスプリンクラーヘッドに保護キャップを嵌めて外部の衝撃からスプリンクラーヘッドを保護している（例えば、特許文献１、２参照。）。
【０００４】
また、保護キャップにはスプリンクラーヘッドの施工の際に天井下面との位置関係を示す表示が設けられている。具体的には図５に示すようにスプリンクラーヘッドＳＨに外装された保護キャップ５０の側面に取付範囲を示す段差５１が設けられている。段差５１の中間位置には取付基準を表すライン５２が設けられており、該ライン５２を基準として、取付範囲である段差５１内に天井Ｔの下面Ｔ１が位置するようにスプリンクラーヘッドＳＨの設置高さが調節される。
【０００５】
【特許文献１】特開２００１−１５７７２２号公報
【特許文献２】特開２００１−１６１８５２号公報
【発明の概要】
【発明が解決しようとする課題】
【０００６】
上記の保護キャップは、スプリンクラーヘッドの形状に合わせて製作されており、スプリンクラーヘッドの種類毎に専用の保護キャップが存在していた。近年においてスプリンクラーヘッドに用いられる部品の共通化が進み、外観寸法が略同じ寸法をした複数種類のスプリンクラーヘッドがあるにも関わらず、各スプリンクラーヘッドの取付基準位置が異なるために保護キャップが共通化できないという問題があった。
【０００７】
そこで本発明では、上記問題に鑑み、一つの保護キャップで複数種類のスプリンクラーヘッドに対応可能なスプリンクラーヘッド用保護キャップを提供することを目的としている。
【課題を解決するための手段】
【０００８】
上記の目的を達成するために、本発明は以下のスプリンクラーヘッド用保護キャップを提供する。
すなわち、有底円筒形状をしておりスプリンクラーヘッドに外装され、側面には天井下面に対する取付範囲が表示されているスプリンクラーヘッドの保護キャップであり、側面には第１のスプリンクラーヘッドの取付範囲を示す上段および下段と、上段および下段の間に取付基準を示す穴が設置されており、該穴には第２のスプリンクラーヘッドの取付範囲が表示された表示部材が係合可能である。
【０００９】
これによれば、本発明のスプリンクラーヘッド用保護キャップ（以下、「保護キャップ」とする）は第１のスプリンクラーヘッドの取付範囲及び取付基準を備えており、これに表示部材を設置することで第２のスプリンクラーヘッドにも用いることができる。より具体的には表示部材は円筒形状であり、内周面に前記穴と係合可能な突起を有しており、表示部材を装着させないときは第１のスプリンクラーヘッドに用いられ、表示部材を装着したときは第２のスプリンクラーヘッドに使用できる。
【００１０】
また、表示部材は帯状であり、保護キャップの外周面に貼付して構成することもできる。さらに表示部材の上端は、保護キャップの取付範囲の上段に沿って設置可能である。あるいは表示部材の下端は、保護キャップの取付範囲の下段に沿って設置可能である。
【００１１】
表示部材の内周面下方に設置された段部を、保護キャップの取付範囲の下限を示す段に当接させると、表示部材を保護キャップに安定して係合させることができる。
【００１２】
保護キャップの色に対して表示部材の色を異なる色にすると、第２のスプリンクラーヘッドの取付範囲が明確となり作業性が向上する。その際、表示部材の取付基準として複数の穴が穿設されていると、取付基準を示す穴から保護キャップの色が見えて取付範囲を示す表示部材の色と違いが明確となり作業性が向上する。
【発明の効果】
【００１３】
以上、説明したように本発明では、第１のスプリンクラーヘッドに対応する取付範囲と取付基準を有する保護キャップに対して、表示部材を保護キャップの側面に取付けることで第２のスプリンクラーヘッドの取付範囲と取付基準を設けることができる。これにより複数種類のスプリンクラーヘッドに対応可能なスプリンクラーヘッド用保護キャップを実現できる。
【図面の簡単な説明】
【００１４】
【図１】本発明の保護キャップの正面図。
【図２】図１の保護キャップをスプリンクラーヘッドに装着した状態図。
【図３】図２の保護キャップの平面図。
【図４】（ａ）は図２の二点鎖線で示す円の断面図。（ｂ）は（ａ）の変形例の断面図。
【図５】従来の保護キャップを装着したスプリンクラーヘッドの設置状態図。
【発明を実施するための最良の形態】
【００１５】
以下に本発明の保護キャップについて図１〜図４を参照して説明する。図１には第１のスプリンクラーヘッドＳ１と保護キャップ１０が図示されている。保護キャップ１０は有定円筒形状をしており、スプリンクラーヘッドＳ１を内部に収容可能である。図２にはスプリンクラーヘッドＳ１に装着された保護キャップ１０が図示されている。
【００１６】
保護キャップ１０は樹脂製であり、スプリンクラーヘッドＳ１の外周面と係合する。スプリンクラーヘッドＳ１との係合構造として、保護キャップ１０の内周面には、図１および図３に示すように複数の柱１１が所定間隔で設置されている。保護キャップ１０の内部にスプリンクラーヘッドＳ１を挿入すると、複数の柱１１がスプリンクラーヘッドＳ１の外周面を押圧した状態になる。
【００１７】
保護キャップ１０の外周面には段部１２、１３が設置されており、該段部１２、１３は天井下面に対する取付範囲を示している。段部１２、１３の間には第１のスプリンクラーヘッドＳ１の取付基準を示す穴１４が穿設されている。穴１４はライン状をしており、複数設置されている。穴１４、１４の間には、文字にて「取付基準」の表示を有している。穴１４には後述の表示部材２０を係合可能である。
【００１８】
上記構成の保護キャップ１０に表示部材２０を装着することで、スプリンクラーヘッドＳ１と外周径は同じであるが取付基準位置が異なるスプリンクラーヘッドに対応可能となる。表示部材２０は円筒形状をしており、内周径は保護キャップ１０の段部１２、１３の間の外周径よりも僅かに大きく構成されている。
【００１９】
表示部材２０の内周には、中心方向に突出した突起２１が複数設置されており、穴１４と係合可能である。図４（ａ）に示すように突起２１の断面は段部１３側が中心に向かって突出しており、段部１２側は突出量が少ない楔型をしている。これにより表示部材２０が保護キャップ１０に装着された後で外れないように構成している。
【００２０】
表示部材２０の内周下方には段２２が設置されている。段２２は表示部材２０を保護キャップ１０に挿通させて穴１４に突起２１を係合させたときに段２２と段部１３が係合することで表示部材２０が保護キャップ１０から外れるのを防止している。
【００２１】
図２において、表示部材２０の段部１２側の端は段部１２に沿って設置されている。保護キャップ１０の色に対して表示部材２０の色を異なる色にすると、第２のスプリンクラーヘッドの取付範囲が明確となり作業性が向上する。また、表示部材２０には第２のスプリンクラーヘッドの取付基準として複数の穴２３が穿設されている。これにより取付基準を示す穴２３から保護キャップ１０の色が見えて取付範囲を示す表示部材２０の色との違いが明確となり作業者が取付基準（穴２３）を認識しやすくなり作業性が向上する。
【００２２】
上記に説明した表示部材２０の変形例として、図４（ｂ）に示す表示部材３０の上端は段部１２よりも上方に配置され、下端は段部１３に沿って配置されている。このような構成にしても図２の保護キャップ１０と同様な効果を得ることができる。あるいは図示しないが、表示部材２０をテープのような帯状にして保護キャップ１０の外周面に貼付して構成してもよい。
【符号の説明】
【００２３】
１０  保護キャップ  
１１  柱  
１２  段部（上段）  
１３  段部（下段）  
１４、２３  穴  
２０、３０  表示部材  
２１  突起  
２２  段  
Ｓ１  スプリンクラーヘッド  
【図１】
2020018659.tif 000003
【図２】
2020018659.tif 000004
【図３】
2020018659.tif 000005
【図４】
2020018659.tif 000006
【図５】
2020018659.tif 000007